(57)【要約】      （修正有）【課題】人体の左右の脚の長さに差異が生じると体の左右のバランスが崩れ、体調不良に陥ることや歩行が困難となることがあり、この脚の長さの差異を調整、あるいは矯正されることを提供する。【解決手段】左右の履物のうちいずれか一方のかかと部４ｂに取り付けられ、該当する側の足のかかと部４ｂの高さを他方の足のかかと部４ｂよりも所定量分高くする高さ調整具１０を備えることで身体の左右の脚の長さを調整し、身体のバランスを調整することに特徴を持たせたものである。【選択図】図３
2016112377.tif 000002
【特許請求の範囲】
【請求項１】
履物の左右いずれか一方のかかと部に取り付けられ、該かかと部の高さを他方のかかと部より所定量分高く設定する高さ調整具を備えた履物。
【請求項２】
前記の高さ調整具が、履物のアウトソール部のかかと部下面に固定されていることを特徴とする請求項１に記載の履物。
【請求項３】
前記の高さ調整具が、履物のインソール部のかかと部に固定されていることを特徴とする請求項１に記載の履物。
【請求項４】
前記の高さ調整具を、履物のインソール部と一体成型したものを有することを特徴とする請求項３に記載の履物。
【発明の詳細な説明】
【技術分野】
【０００１】  本発明は、左右の脚の長さに差異を有する人のための高さ調整具を備えた履物に関するものである。
【背景技術】
【０００２】  人体の健康を維持するためには、身体のバランスが左右対称であることが理想とされている。しかし、多少の差はあるにせよ、先天的あるいは後天的な理由で左右どちらかの脚の長さが違う人がいる。
【発明の概要】
【発明が解決しようとする課題】
【０００３】  左右の脚の長さが違うと身体の左右のバランスが崩れ、体調不良に陥ることや歩行に支障をきたすことがあり、この左右の脚の長さの差異を調整、もしくは矯正することが望まれていた。
【課題を解決するための手段】
【０００４】  本発明は、靴等の履物のうちの左右いずれか一方のかかと部に取り付けられ、該かかと部の高さを他方のかかと部より所定量、例えば左右の足の長さの相違分だけ高く設定する高さ調整具を備えた履物を履くことによって身体の左右の脚の長さを合わせ、体のバランスを調整することに特徴をもたせたものである。【０００５】  人体の脚の長さの左右の差異については身長測定器を用いた次項のような方法で計測することができる。【０００６】  身長測定器に背面を付け、立った状態で両脚を揃えて計測し通常の状態を確認する。次に、右脚を測定器から離し前方もしくは側方へ振り左脚だけで立った状態で計測する。続いて右脚を測るときはその逆の状態で計測する。そうすることにより、左右の脚の長さの差異を確認することができる。【０００７】  上記のように計測された両脚の長さの差異を基に、靴等の履物のかかと部に位置するインソール部もしくはアウトソール部に高さ調整具を設置する。例えば左脚が右脚に比べて１ｃｍ短く計測された場合、左脚に履く靴等の履物のかかと部に位置するインソール部もしくはアウトソール部に高さ１ｃｍの高さ調整具を取り付けて調整を行う。【０００８】  その高さ調整具は、例として横約６ｃｍで長さは約７ｃｍで馬蹄形をしている。【０００９】  高さ調整具をインソール部に設置する場合、その構造は従来の靴の中敷きと同様の構造を有したものとなる。【００１０】  高さ調整具をアウトソール部に設置する場合、その構造は従来の靴底と同様の構造を有したものとなる。
【発明の効果】
【００１１】  上記の高さを履物に設置することで身体の左右のバランスが良くなり、体調を良好に保つことができる。【００１２】  また、左右の脚の長さの差異を解消することで支障なく歩行することが可能になる。
【図面の簡単な説明】
【００１３】
【図１】本発明の第１実施例を示し、高さ調整具を靴等の履物のインソール部のかかと部に設置した状態を示す断面図である。
【図２】本発明の第１実施例における高さ調整具の斜視図である。
【図３】本発明の第２実施例を示し、高さ調整具を靴等の履物のアウトソール部のかかと部に設置した状態を示す断面図である。
【図４】本発明の第２実施例における高さ調整具の斜視図である。
【図５】本発明の第２実施例における高さ調整具を靴等の履物のアウトソール部のかかと部に設置した状態を示す後面図である。
【発明を実施するための形態】
【００１４】  図１から図２は、本発明の第１実施例を示す。図１では、履物の例としての靴１の断面を示している。この靴１は、履き口としての開口部２を備えたアッパ部（上部）３と、このアッパ部（上部）３の下側に位置し地面と接するアウトソール部（表底部）４とで構成されている。このアウトソール部（表底部）４は、前部４ａと前部４ａより厚く形成されている後部（かかと部）４ｂからなる。さらにアッパ部（上部）３の内側にはインソール部（中底部）５が設けられている。
【００１５】  図１は、前記のように構成された靴１のインソール部（中底部）５のかかと部５ａに図２に示すような高さ調整具６を接着剤（図示せず）によって固定した状態を示す断面図である。
なお、この高さ調整具６は接着剤で固定するようにしているが、縫製などによって固定してもよいものである。
さらには、インソール部（中底部）５と一体成型するように構成してもよいものである。
【００１６】  また、上記の第１実施例では、高さ調整具６を靴１のインソール部（中底部）５に固定する形式としているが、このインソール部（中底部）５に代えて実質的にインソール部（中底部）５と同様の機能を有する中敷きに高さ調整具を固定しても同様の機能を有するものである。
【００１７】  図２は、上記の第１実施例で使用した高さ調整具６の斜視図である。
【００１８】  図３から図５では、本発明の第２実施例を示す。図３に示すように、靴１のアウトソール部（表底部）４の後部（かかと部）４ｂに図４に示すような高さ調整具１０が接着剤（図示せず）によって固定されている。
【００１９】  図４は、上記の第２実施例で使用した高さ調整具１０の斜視図である。
【００２０】  図５は、右足用の靴１Ａに高さ調整具１０を固定した状態を示し、高さ調整具を固定していない左足用の靴１Ｂとの間でαの高さ（高さ調整具の厚み分）だけ右足のかかと部が高くなっている状態を示している。
【００２１】  なお、上記の実施例２例では履物の例として靴における実施例について説明したが、靴としては運動靴、革靴、ブーツなどが考えられる。また、靴以外の履物であるサンダルやスリッパなどにおいても採用することが可能である。
【産業上の利用の可能性】
【００２２】  高さ調整具を左右どちらか短い方の脚の靴等の履物のインソール部（中底部）のかかと部（中敷きを含む）もしくはアウトソール部（表底部）のかかと部に設置することで、体のバランスを調整することができる。それにより体調不良を緩和し健康な体に近づくことができる。また、左右の脚の長さの差異を解消することで歩行等の運動能力を改善することができる。
【００２３】  加えて、靴店や健康器具販売店等に脚長測定のための設備を配置することで、それまで使用できなかった靴等の購買意欲を促進することができる。
【００２４】  さらに、前記の脚長測定具と高さ調整具を整形外科医院等に設置することで、両脚の長さの差異によって外出が難しかった高齢者等の運動能力を改善することができ、外出しやすくなるなどによって消費活動を活性化できるものである。
【符号の説明】１    靴
１Ａ  右足用の靴
１Ｂ  左足用の靴
２    履き口としての開口部
３    アッパ部（上部）
４    アウトソール部（表底部）
４ａ  アウトソール部（表底部）の前部
４ｂ  アウトソール部（表底部）の後部（かかと部）
５    インソール部（中底部）
５ａ  インソール部（中底部）のかかと部
６    高さ調整具（インソール用）
１０  高さ調整具（アウトソール用）
【図１】
2016112377.tif 000003
【図２】
2016112377.tif 000004
【図３】
2016112377.tif 000005
【図４】
2016112377.tif 000006
【図５】
2016112377.tif 000007